(57)【要約】      （修正有）【課題】撮影画像データが外部記憶媒体に意図しないサイズ（例えば無線通信機能付きのメモリカードにワイヤレスでの転送に不向きなほど大きなデータサイズ）で保存されるという操作ミスを防止する。【解決手段】外部記憶媒体を接続可能な複数のインタフェース部と、各インタフェース部に接続された外部記憶媒体の種類を判定する判定手段と、各インタフェース部に接続された外部記憶媒体に保存される撮影画像データのサイズを判定手段により判定された種類に従い決定する保存サイズ決定手段と、撮影画像データを各インタフェース部に接続された外部記憶媒体に保存サイズ決定手段により決定された保存サイズで保存する保存手段とにより撮影装置を構成する。【選択図】図２
2015070586.tif 000002
【特許請求の範囲】
【請求項１】
外部記憶媒体を接続可能な複数のインタフェース部と、
各前記インタフェース部に接続された外部記憶媒体の種類を判定する判定手段と、
前記各インタフェース部に接続された外部記憶媒体に保存される撮影画像データのサイズを前記判定手段により判定された種類に従い決定する保存サイズ決定手段と、
前記撮影画像データを前記各インタフェース部に接続された外部記憶媒体に前記保存サイズ決定手段により決定された保存サイズで保存する保存手段と、
を備える、
撮影装置。
【請求項２】
前記保存サイズ決定手段は、
前記外部記憶媒体が無線通信機能を有さないメモリカードであるとき、該外部記憶媒体に保存される撮影画像データのサイズを第一の保存サイズに決定し、
前記外部記憶媒体が無線通信機能を有するメモリカードであるとき、該外部記憶媒体に保存される撮影画像データのサイズを第二の保存サイズに決定する、
請求項１に記載の撮影装置。
【請求項３】
前記第二の保存サイズの初期値は、前記第一の保存サイズの初期値より小さい、
請求項２に記載の撮影装置。
【請求項４】
前記第二の保存サイズは、前記第一の保存サイズより常に小さくなるよう決定される、
請求項２又は請求項３に記載の撮影装置。
【請求項５】
外部記憶媒体を接続可能なインタフェース部と、
前記インタフェース部に接続された外部記憶媒体の種類を判定する判定手段と、
前記インタフェース部に接続された外部記憶媒体に保存される撮影画像データのサイズを前記判定手段により判定された種類に従い決定する保存サイズ決定手段と、
前記撮影画像データを前記インタフェース部に接続された外部記憶媒体に前記保存サイズ決定手段により決定された保存サイズで保存する保存手段と、
を備え、
前記保存サイズ決定手段は、
前記外部記憶媒体が無線通信機能を有さないメモリカードであるとき、該外部記憶媒体に保存される撮影画像データのサイズを第一の保存サイズに決定し、
前記外部記憶媒体が無線通信機能を有するメモリカードであるとき、該外部記憶媒体に保存される撮影画像データのサイズを第二の保存サイズに決定する、
撮影装置。
【請求項６】
前記第二の保存サイズの初期値は、前記第一の保存サイズの初期値より小さい、
請求項５に記載の撮影装置。
【請求項７】
前記第二の保存サイズは、前記第一の保存サイズより常に小さくなるよう決定される、
請求項５又は請求項６に記載の撮影装置。
【請求項８】
前記判定手段による判定処理を行うか否かを設定する設定手段
を備え、
前記保存サイズ決定手段は、
前記設定手段により前記判定処理を行わないと設定されているとき、前記インタフェース部に接続された外部記憶媒体の種類に拘わらず該外部記憶媒体に保存される撮影画像データのサイズを前記第一の保存サイズに決定する、
請求項２から請求項７の何れか一項に記載の撮影装置。
【請求項９】
外部記憶媒体を接続可能なインタフェース部と、
前記インタフェース部に接続された外部記憶媒体の種類を判定する判定手段と、
前記インタフェース部に接続された外部記憶媒体に保存される撮影画像データのサイズを前記判定手段により判定された種類に従い決定する保存サイズ決定手段と、
前記外部記憶媒体が無線通信機能を有さないメモリカードである場合に該外部記憶媒体に保存される撮影画像データのサイズ、該外部記憶媒体が無線通信機能を有するメモリカードである場合に該外部記憶媒体に保存される撮影画像データのサイズのそれぞれを記憶する保存サイズ記憶手段と、
を備える、
撮影装置。
【発明の詳細な説明】
【技術分野】
【０００１】
本発明は、メモリカード等の外部記憶媒体を接続可能なインタフェース部を複数備える撮影装置に関する。
【背景技術】
【０００２】
カメラ等の撮影装置において、メモリカード等の外部記憶媒体を装着可能なスロットを複数備えたもの（いわゆるダブルスロット）が知られている。例えば特許文献１に、ダブルスロットを備えた撮影装置の具体的構成が記載されている。
【０００３】
特許文献１に記載の撮影装置は、各スロットに装着されている外部記憶媒体の記憶容量を確認し、動画モードが指定されているときには記憶容量の大きい方を保存先メディアとして設定する。特許文献１に記載の撮影装置は、動画の記録中に保存先メディアの空き容量が無くなると、保存先メディアを他方のスロットに装着されている外部記憶媒体に切り替えて動画の記録を継続する。これにより、メディアフルに伴う動画撮影の中断を回避することができ、貴重な撮影チャンスを逃さずに撮影することが可能となる。
【先行技術文献】
【特許文献】
【０００４】
【特許文献１】特開２００７−１７４６９３号公報
【発明の概要】
【発明が解決しようとする課題】
【０００５】
撮影装置に装着可能な外部記憶媒体の一つに、Eye-Fi（登録商標）カード等の無線通信機能を有するメモリカード（以下、「無線通信メモリカード」と記す。）が知られている。この種の無線通信メモリカードは、撮影時に保存された画像を指定された外部装置へ自動的に転送する。そのため、無線通信メモリカードには、外部装置へ転送する際のトラフィックの負荷や外部装置における表示条件（表示可能な画像サイズや処理可能なファイルサイズ等）等を考慮し、撮影画像データを撮影時点のサイズよりも小さいデータサイズに縮小した上で保存するのが望ましい。
【０００６】
特許文献１に記載の撮影装置において、ユーザが、無線通信メモリカードと無線通信機能を有さないメモリカード（以下、「通常メモリカード」と記す。）とを混在使用する場合を考える。この場合、各メモリカードに保存される撮影画像データのサイズは、メモリカードの種類に応じて適切に設定されることが望ましい。例えば、撮影画像データが通常メモリカードに撮影時点のサイズで保存されるように設定されている場合であっても、無線通信メモリカードには、上記の理由により、撮影画像データが縮小されたサイズで保存されるように設定することが望ましい。
【０００７】
しかし、ユーザは、無線通信メモリカードや通常メモリカードを別のメモリカードと交換したとき、撮影画像データの保存サイズを交換後のメモリカードに適したデータサイズに設定し忘れることがある。これにより、例えば、撮影画像データが通常メモリカードに縮小されたサイズで保存されたり、撮影画像データが無線通信メモリカードに撮影時点のサイズ（例えばワイヤレスでの転送に不向きなほど大きなデータサイズ）で保存されたりするという不都合が生じる。
【０００８】
本発明は上記の事情に鑑みてなされたものであり、その目的とするところは、撮影画像データを外部記憶媒体の種類に応じて適切なサイズで保存するのに好適な撮影装置を提供することである。
【課題を解決するための手段】
【０００９】
本発明の実施形態に係る撮影装置は、外部記憶媒体を接続可能な複数のインタフェース部と、各インタフェース部に接続された外部記憶媒体の種類を判定する判定手段と、各インタフェース部に接続された外部記憶媒体に保存される撮影画像データのサイズを判定手段により判定された種類に従い決定する保存サイズ決定手段と、撮影画像データを各インタフェース部に接続された外部記憶媒体に保存サイズ決定手段により決定された保存サイズで保存する保存手段とを備える。
【００１０】
このように、本実施形態では、撮影画像データの保存サイズが外部記憶媒体の種類に適したものに自動的に決定された上で、外部記憶媒体への撮影画像データの保存が行われる。ユーザが撮影画像データのサイズを外部記憶媒体毎に個別に設定する必要が無いため、撮影画像データが外部記憶媒体に意図しないサイズで保存されるという操作ミスが生じない。
【００１１】
保存サイズ決定手段は、例えば、外部記憶媒体が無線通信機能を有さないメモリカードであるとき、外部記憶媒体に保存される撮影画像データのサイズを第一の保存サイズに決定し、外部記憶媒体が無線通信機能を有するメモリカードであるとき、外部記憶媒体に保存される撮影画像データのサイズを第二の保存サイズに決定する。
【００１２】
第二の保存サイズの初期値は、例えば第一の保存サイズの初期値より小さい。
【００１３】
第二の保存サイズは、第一の保存サイズより常に小さくなるよう決定されてもよい。
【００１４】
本発明の実施形態に係る撮影装置は、外部記憶媒体を接続可能なインタフェース部と、インタフェース部に接続された外部記憶媒体の種類を判定する判定手段と、インタフェース部に接続された外部記憶媒体に保存される撮影画像データのサイズを判定手段により判定された種類に従い決定する保存サイズ決定手段と、撮影画像データをインタフェース部に接続された外部記憶媒体に保存サイズ決定手段により決定された保存サイズで保存する保存手段とを備える。保存サイズ決定手段は、外部記憶媒体が無線通信機能を有さないメモリカードであるとき、外部記憶媒体に保存される撮影画像データのサイズを第一の保存サイズに決定し、外部記憶媒体が無線通信機能を有するメモリカードであるとき、外部記憶媒体に保存される撮影画像データのサイズを第二の保存サイズに決定する。
【００１５】
撮影装置は、判定手段による判定処理を行うか否かを設定する設定手段を備える構成としてもよい。この場合、保存サイズ決定手段は、設定手段により上記判定処理を行わないと設定されているとき、インタフェース部に接続された外部記憶媒体の種類に拘わらず外部記憶媒体に保存される撮影画像データのサイズを第一の保存サイズに決定する。
【００１６】
本発明の実施形態に係る撮影装置は、外部記憶媒体を接続可能なインタフェース部と、インタフェース部に接続された外部記憶媒体の種類を判定する判定手段と、インタフェース部に接続された外部記憶媒体に保存される撮影画像データのサイズを判定手段により判定された種類に従い決定する保存サイズ決定手段と、外部記憶媒体が無線通信機能を有さないメモリカードである場合に外部記憶媒体に保存される撮影画像データのサイズ、外部記憶媒体が無線通信機能を有するメモリカードである場合に外部記憶媒体に保存される撮影画像データのサイズのそれぞれを記憶する保存サイズ記憶手段とを備える。
【発明の効果】
【００１７】
本実施形態によれば、撮影画像データを外部記憶媒体の種類に応じて適切なサイズで保存するのに好適な撮影装置が提供される。
【図面の簡単な説明】
【００１８】
【図１】本発明の実施形態の撮影装置の構成を示すブロック図である。
【図２】本発明の実施形態における撮影画像データの保存フローを示す図である。
【発明を実施するための形態】
【００１９】
以下、本発明の実施形態の撮影装置について図面を参照しながら説明する。以下においては、本発明の一実施形態として、デジタル一眼レフカメラについて説明する。なお、撮影装置は、デジタル一眼レフカメラに限らず、例えば、ミラーレス一眼カメラ、コンパクトデジタルカメラ、カムコーダ、タブレット端末、ＰＨＳ（Personal Handy phone System）、スマートフォン、フィーチャフォン、携帯ゲーム機など、撮影機能を有する別の形態の装置に置き換えてもよい。
【００２０】
［撮影装置１の構成］
図１は、本実施形態の撮影装置１の構成を示すブロック図である。図１に示されるように、撮影装置１は、ＣＰＵ（Central Processing Unit）１００、操作部１０２、絞り・シャッタ駆動回路１０４、撮影レンズ１０６、絞り１０８、シャッタ１１０、イメージセンサ１１２、信号処理回路１１４、画像処理エンジン１１６、バッファメモリ１１８、カード用インタフェース１２０Ａ、１２０Ｂ、ＬＣＤ（Liquid Crystal Display）制御回路１２２、ＬＣＤ１２４及びＲＯＭ（Read Only Memory）１２６を備えている。
【００２１】
操作部１０２には、電源スイッチやレリーズスイッチ、撮影モードスイッチなど、ユーザが撮影装置１を操作するために必要な各種スイッチが含まれる。ユーザにより電源スイッチが押されると、図示省略されたバッテリから撮影装置１の各種回路に電源ラインを通じて電源供給が行われる。ＣＰＵ１００は電源供給後、ＲＯＭ１２６にアクセスして制御プログラムを読み出して内蔵メモリ（不図示）にロードし、ロードされた制御プログラムを実行することにより、撮影装置１全体の制御を行う。
【００２２】
ＣＰＵ１００は、撮影装置１に内蔵されたＴＴＬ（Through The Lens）露出計（不図示）で測定された測光値に基づき適正露出が得られるように、絞り・シャッタ駆動回路１０４を介して絞り１０８及びシャッタ１１０を駆動制御する。より詳細には、絞り１０８及びシャッタ１１０の駆動制御は、プログラムＡＥ（Automatic Exposure）、シャッタ速度優先ＡＥ、絞り優先ＡＥなど、撮影モードスイッチにより指定されるＡＥ機能に基づいて行われる。また、ＣＰＵ１００はＡＥ制御と併せてＡＦ（Autofocus）制御を行う。ＡＦ制御には、アクティブ方式、位相差検出方式、コントラスト検出方式等が適用される。なお、この種のＡＥ及びＡＦの構成及び制御については周知であるため、ここでの詳細な説明は省略する。
【００２３】
被写体からの光束は、撮影レンズ１０６、絞り１０８、シャッタ１１０を通過してイメージセンサ１１２により受光される。イメージセンサ１１２は、例えばＣＣＤ（Charge Coupled Device）イメージセンサやＣＭＯＳ（Complementary Metal Oxide Semiconductor）イメージセンサであり、撮像面上の各画素で結像した光学像を光量に応じた電荷として蓄積して電気信号に変換し、信号処理回路１１４に出力する。信号処理回路１１４は、イメージセンサ１１２より入力される電気信号（撮影データ）に対して所定の信号処理を施して、画像処理エンジン１１６に出力する。
【００２４】
画像処理エンジン１１６は、信号処理回路１１４より入力される信号に対して色補間、マトリクス演算、Ｙ／Ｃ分離等の所定の信号処理を施して輝度信号Ｙ、色差信号Ｃｂ、Ｃｒを生成し、ＪＰＥＧ（Joint Photographic Experts Group）等の所定のフォーマットで圧縮する。バッファメモリ１１８は、画像処理エンジン１１６による処理の実行時、処理データの一時的な保存場所として用いられる。
【００２５】
本実施形態において、カード用インタフェース１２０Ａのカードスロットにはメモリカード２００が着脱可能に差し込まれており、カード用インタフェース１２０Ｂのカードスロットにはメモリカード３００が着脱可能に差し込まれている。メモリカード２００、３００はそれぞれ、通常メモリカード、無線通信メモリカードである。
【００２６】
画像処理エンジン１１６は、カード用インタフェース１２０Ａ、１２０Ｂを介してメモリカード２００、３００のそれぞれと通信可能である。画像処理エンジン１１６は、生成された圧縮画像信号（撮影画像データ）を、ユーザによる操作部１０２の設定操作に従い、メモリカード２００及び３００の少なくとも一方に保存する。
【００２７】
また、画像処理エンジン１１６は、Ｙ／Ｃ分離後の信号に所定の信号処理を施して、フレームメモリ（不図示）にフレーム単位でバッファリングする。画像処理エンジン１１６は、バッファリングされた信号を所定のタイミングで各フレームメモリから掃き出して画像信号に変換し、ＬＣＤ制御回路１２２に出力する。ＬＣＤ制御回路１２２は、画像処理エンジン１１６より入力される画像信号を基に液晶を変調制御する。これにより、被写体の撮影画像がＬＣＤ１２４に表示される。ユーザは、ＡＥ制御及びＡＦ制御に基づいて適正な輝度及びピントで撮影されたリアルタイムのスルー画を、ＬＣＤ１２４を通じて視認することができる。
【００２８】
［撮影画像データの保存フロー］
次に、撮影装置１による撮影画像データの保存フローを説明する。図２は、撮影画像データの保存フローを示すフローチャート図である。図２に示される撮影画像データの保存フローは、ユーザによってレリーズスイッチが押されることにより開始される。なお、本フローチャートの説明中、撮影画像は、レリーズスイッチが押されたタイミングで取り込まれる静止画又はレリーズスイッチが押されたタイミングで録画開始される動画を指す。
【００２９】
［図２のＳ１０（メモリカードの種類判定の実行の可否）］
本処理ステップＳ１０では、カード用インタフェースのカードスロットに差し込まれているメモリカードの種類を判定するか否かが判定される。操作部１０２により、カード用インタフェースのカードスロットに差し込まれているメモリカードの種類を判定するように設定されている場合（図２のＳ１０：ＹＥＳ）、本フローチャートの処理は、処理ステップＳ１１（メモリカードの種類判定）に進む。カード用インタフェースのカードスロットに差し込まれているメモリカードの種類を判定しないように設定されている場合（図２のＳ１０：ＮＯ）、本フローチャートの処理は、処理ステップＳ１２（撮影画像データの通常データサイズでの保存）に進む。
【００３０】
［図２のＳ１１（メモリカードの種類判定）］
本処理ステップＳ１１では、各カード用インタフェースのカードスロットに差し込まれているメモリカードの種類が判定される。判定対象のメモリカードが通常メモリカードであるとき（図２のＳ１１：ＮＯ）、本フローチャートの処理は、処理ステップＳ１２（撮影画像データの通常サイズでの保存）に進む。判定対象のメモリカードが無線通信メモリカードであるとき（図２のＳ１１：ＹＥＳ）、本フローチャートの処理は、処理ステップＳ１３（撮影画像データの縮小サイズでの保存）に進む。
【００３１】
本実施形態では、本処理ステップＳ１１が２回実行される。本処理ステップＳ１１の最初の実行時は、カード用インタフェース１２０Ａのカードスロットに差し込まれているメモリカード２００の種類が判定され、２回目の実行時は、カード用インタフェース１２０Ｂのカードスロットに差し込まれているメモリカード３００の種類が判定される。最初の実行時は、メモリカード２００が通常メモリカードであるため、処理ステップＳ１２（撮影画像データの通常サイズでの保存）に進む。２回目の実行時は、メモリカード３００が無線通信メモリカードであるため、処理ステップＳ１３（撮影画像データの縮小サイズでの保存）に進む。
【００３２】
［図２のＳ１２（撮影画像データの通常データサイズでの保存）］
本処理ステップＳ１２では、撮影画像データが通常のサイズ（以下、「通常データサイズ」と記す。）でメモリカード２００（通常メモリカード）に保存される。「データサイズ」は、主に、撮影画像の画質及び画像サイズによって決まる。「画質」は、撮影画像データの圧縮率を指し、「画像サイズ」は、撮影画像データの記録画素数を指す。
【００３３】
撮影画像の画質及び画像サイズは、ＬＣＤ１２４に表示されるメニュー画面から設定可能である。本実施形態において、設定可能な通常データサイズの画質には、例えば、高画質（低圧縮率)の「S.FINE」、標準画質（中程度の圧縮率）の「FINE」、低画質（高圧縮率）の「ECONOMY」、の３種類がある。また、設定可能な通常データサイズの画像サイズには、静止画の場合、例えば、「４９２８×３２６４ピクセル（１６ＭＢ、Ｌサイズ）」、「３９３６×２６２４ピクセル（１０ＭＢ、Ｍサイズ）」、「３０７２×２０４８ピクセル（６ＭＢ、Ｓサイズ）」、「１９２０×１２８０ピクセル（２ＭＢ、ＸＳサイズ）」、の４種類がある。動画の場合は、「１９２０×１０８０ピクセル（Ｆｕｌｌ  ＨＤ）」、「１２８０×７２０ピクセル（ＨＤ）」、「６４０×４８０ピクセル（ＶＧＡ）」、「３２０×２４０ピクセル（ＱＶＧＡ）」、の４種類がある。なお、通常データサイズのデフォルトの静止画の画質、画像サイズはそれぞれ、「FINE」、「４９２８×３２６４ピクセル（１６ＭＢ、Ｌサイズ）」である。また、通常データサイズのデフォルトの動画の画質、画像サイズはそれぞれ、「FINE」、「１９２０×１０８０ピクセル（Ｆｕｌｌ  ＨＤ）」である。通常データサイズ（及び後述の縮小データサイズ）の設定データは、例えばＣＰＵ１００の内蔵メモリに記憶される。
【００３４】
［図２のＳ１３（撮影画像データの縮小データサイズでの保存）］
本処理ステップＳ１３では、撮影画像データが縮小されたサイズ（以下、「縮小データサイズ」と記す。）でメモリカード３００（無線通信メモリカード）に保存される。「縮小データサイズ」は、撮影画像データを外部装置へワイヤレスで転送する際のトラフィックの負荷や外部装置における表示条件（表示可能な画像サイズや処理可能なファイルサイズ等）等が考慮されたサイズであり、基本的に、通常データサイズよりも小さい。例えば、縮小データサイズのデフォルトの静止画の画質、画像サイズはそれぞれ、「ECONOMY」、「１９２０×１２８０ピクセル（２ＭＢ）」であり、通常データサイズのデフォルト値よりも小さい。また、縮小データサイズのデフォルトの動画の画質、画像サイズはそれぞれ、「ECONOMY」、「３２０×２４０ピクセル（ＱＶＧＡ）」であり、やはり、通常データサイズのデフォルト値よりも小さい。
【００３５】
なお、無線ＬＡＮ（Local Area Network）環境や外部装置のスペックによってはサイズの大きい撮影画像データを転送しても差し支えない場合がある。そのため、縮小データサイズの画質は、通常データサイズと同様に、「S.FINE」又は「FINE」に設定変更可能である。縮小データサイズの画像サイズも同じく、静止画の場合、「４９２８×３２６４ピクセル（１６ＭＢ、Ｌサイズ）」、「３９３６×２６２４ピクセル（１０ＭＢ、Ｍサイズ）」、「３０７２×２０４８ピクセル（６ＭＢ、Ｓサイズ）」への設定変更が可能であり、動画の場合、「１９２０×１０８０ピクセル（Ｆｕｌｌ  ＨＤ）」、「１２８０×７２０ピクセル（ＨＤ）」、「６４０×４８０ピクセル（ＶＧＡ）」への設定変更が可能である。
【００３６】
縮小データサイズの設定変更については、変更の自由度を制限する仕様にしてもよい。例えば、縮小データサイズは、通常データサイズより常に小さいサイズにしか設定できないようにしてもよい。
【００３７】
このように、撮影画像データは、原則、通常メモリカードに対しては通常データサイズで保存され（処理ステップＳ１２）、無線通信メモリカードに対しては縮小データサイズで保存される（処理ステップＳ１３）。但し、図２の処理ステップＳ１０（メモリカードの種類判定の実行の可否）においてＮＯ判定の場合、撮影画像データは、メモリカードの種類に拘わらず通常データサイズで保存される（処理ステップＳ１２）。
【００３８】
［図２のＳ１４（撮影画像データの保存可否判定）］
本処理ステップＳ１４では、撮影画像データが設定された画質及び画像サイズでメモリカードに保存できたか否かが判定される。
【００３９】
［図２のＳ１５（保存エラー表示）］
本処理ステップＳ１５は、メモリカードの空き容量が足りない等の理由で撮影画像データがメモリカードに保存できなかったと判定された場合（図２のＳ１４：ＮＯ）に実行される。具体的には、本処理ステップＳ１５では、ＬＣＤ１２４上に保存失敗のエラーメッセージが表示される。
【００４０】
［図２のＳ１６（保存対象のメモリカードの判定）］
本処理ステップＳ１６では、撮影画像データを他方のメモリカードにも保存するか否かが判定される。撮影画像データをカード用インタフェース１２０Ａと１２０Ｂの両方のカードスロットに差し込まれたメモリカードに保存する設定の場合（図２のＳ１６：ＹＥＳ）、本フローチャートの処理は、図２の処理ステップＳ１７（撮影画像保存処理が未実行のメモリカードの有無判定）に進む。撮影画像データをカード用インタフェース１２０Ａ又は１２０Ｂの一方のカードスロットに差し込まれたメモリカードに保存する設定の場合（図２のＳ１６：ＮＯ）、本フローチャートの処理は、終了する。例として、撮影画像データがメモリカード２００に通常データサイズ（又はメモリカード３００に縮小データサイズ）で保存されただけで、本フローチャートの処理が終了する。
【００４１】
［図２のＳ１７（撮影画像保存処理が未実行のメモリカードの有無判定）］
本処理ステップＳ１７は、図２の処理ステップＳ１４（撮影画像データの保存可否判定）にて撮影画像データが保存されたと判定された（図２のＳ１４：ＹＥＳ）後、又は処理ステップＳ１５（保存エラー表示）にて保存失敗のエラーメッセージが表示された後に処理ステップＳ１６（保存対象のメモリカードの判定）が実行されると、実行される。具体的には、本処理ステップＳ１７では、撮影画像保存処理（図２の処理ステップＳ１２（撮影画像データの通常データサイズでの保存）又は処理ステップＳ１３（撮影画像データの縮小データサイズでの保存））が行われていないメモリカードが残っているか否かが判定される。
【００４２】
本実施形態では、本処理ステップＳ１７が２回実行される。本処理ステップＳ１７の最初の実行時は、メモリカード３００（無線通信メモリカード）に対して撮影画像保存処理が行われていないため（図２のＳ１７：ＹＥＳ）、処理ステップＳ１１（メモリカードの種類判定）に戻る。本処理ステップＳ１７の２回目の実行時は、メモリカード２００（通常メモリカード）及びメモリカード３００（無線通信メモリカード）に対して撮影画像保存処理が完了しているため（図２のＳ１７：ＮＯ）、本フローチャートの処理が終了する。
【００４３】
このように、本実施形態では、撮影画像データの保存サイズがメモリカードの種類に適したものに自動的に決定された上で、メモリカードへの撮影画像データの保存が行われる。そのため、ユーザは、撮影画像データのサイズを、カードスロットに装填されたメモリカードの種類を考慮しながらカードスロット毎に個別に設定する必要がない。従って、例えば、メモリカードが交換された場合であっても、撮影画像データが通常メモリカードに縮小データサイズで保存されたり無線通信メモリカードに通常データサイズで保存されたりするなど、撮影画像データがメモリカードに意図しないデータサイズで保存されるというミスが生じない。
【００４４】
以上が本発明の例示的な実施形態の説明である。本発明の実施形態は、上記に説明したものに限定されず、本発明の技術的思想の範囲において様々な変形が可能である。例えば明細書中に例示的に明示される実施形態等又は自明な実施形態等を適宜組み合わせた内容も本願の実施形態に含まれる。
【符号の説明】
【００４５】
１  撮影装置
１００  ＣＰＵ
１０２  操作部
１０４  絞り・シャッタ駆動回路
１０６  撮影レンズ
１０８  絞り
１１０  シャッタ
１１２  イメージセンサ
１１４  信号処理回路
１１６  画像処理エンジン
１１８  バッファメモリ
１２０Ａ、１２０Ｂ  カード用インタフェース
１２２  ＬＣＤ制御回路
１２４  ＬＣＤ
１２６  ＲＯＭ
２００、３００  メモリカード
【図１】
2015070586.tif 000003
【図２】
2015070586.tif 000004